(57)【要約】  【課題】  表示部を昇降可能とした表示装置において、電気的、機械的に表示装置の転倒要因の発生を検出し、これにより自動で転倒防止を回避する動作を行う表示装置を提供する。  【解決手段】  前記表示装置１を転倒に至らしめる、例えば強風等の転倒要因の発生を検出して検出信号を出力する、例えば風力検出手段４１等の転倒要因検出手段４０と、  前記転倒要因検出手段４０が出力した検出信号を入力して、表示装置１の表示部１０が上昇した位置にある時には、前記昇降機構２０の駆動装置５０を動作させて前記表示部１０を下降させる動作を行わせる制御装置６０とを設ける。  【選択図】    図１
2006023497.tif 000002
【特許請求の範囲】
【請求項１】
昇降可能に構成された表示部と、前記表示部を上昇位置と下降位置間で昇降させる昇降機構と、該昇降機構を駆動する駆動装置を備えた表示装置において、
前記表示装置を転倒に至らしめる転倒要因の発生を検出して検出信号を出力する転倒要因検出手段と、
前記転倒要因検出手段からの検出信号を入力する制御装置を介して、前記昇降機構の駆動装置により、前記表示部を前記上昇位置から下降させることを特徴とする表示装置。
【請求項２】
前記転倒要因検出手段が、検出した前記転倒要因の発生程度に応じて出力する検出信号を変化させると共に、
予め求められた転倒要因の発生程度と該転倒要因の発生の程度に対して転倒を回避可能な表示部の高さとの対応関係に基づいて、前記制御装置が、受信した検出信号によって示された転倒要因の発生程度に対応した前記転倒を回避可能な表示部の高さ迄、前記表示部を下降させることを特徴とする請求項１記載の表示装置。
【請求項３】
前記制御装置は、前記表示部が下降位置にある時に前記転倒要因検出手段からの検出信号を入力すると、前記昇降機構の駆動装置を動作不能とすることを特徴とする請求項１又は２記載の表示装置。
【請求項４】
前記転倒要因検出手段が、検出した前記転倒要因の発生程度に応じて出力する検出信号を変化させると共に、
予め求められた転倒要因の発生程度と該転倒要因の発生の程度に対して転倒を回避可能な表示部の高さとの対応関係に基づいて、前記制御装置が、受信した検出信号によって示された転倒原因の発生程度に対応した前記転倒を回避可能な表示部の高さを前記表示部の昇降範囲の上限として設定することを特徴とする請求項１又は２記載の表示装置。
【請求項５】
前記転倒要因検出手段が、前記表示装置の設置位置における風力を検出する風力検出手段、及び／又は設置された前記表示装置の傾きを検出する傾斜検出手段であることを特徴とする請求項１〜４いずれか１項記載の表示装置。
【請求項６】
前記風力検出手段が、設定値以上の風力により揺動する受風板と、該受風板の揺動を検知するセンサを備えることを特徴とする請求項５記載の表示装置。
【請求項７】
前記表示部が、情報を表示する表示板と、該表示板を支持する支持脚を備え、
前記風力検出手段が、前記支持脚のひずみを検出するひずみセンサであることを特徴とする請求項５記載の表示装置。
【発明の詳細な説明】
【技術分野】
【０００１】
本発明は表示装置に関し、より詳細には、表示部が昇降する形式の表示装置において、その転倒を防止し得る機構を備えた表示装置に関する。
【背景技術】
【０００２】
道路工事現場等において、通行止めや車線規制等をドライバー等に知らせて誘導等を行うために、道路標識や誘導表示、その他の情報を表示する表示装置が工事現場近くに設置される場合がある。
【０００３】
このような表示装置は、走行車両等を円滑かつ安全に誘導等するために、表示された情報が遠方からの視認性に優れたものである必要があることから、標識、その他の情報が表示された部分（本発明において「表示部」という。）が比較的高所に掲げられていることが好ましい。
【０００４】
その一方で、収納や搬送の際の利便性を考慮すれば、このような表示装置は全体としてコンパクトであることが好ましい。
【０００５】
このような相反する要請に対し、表示装置のうちの表示部を昇降機構によって昇降可能とし、設置された路面等に対し、表示部を高所に掲げることができるように構成した表示装置が提案されている（特許文献１及び２参照）。
【０００６】
この発明の先行技術文献情報としては次のものがある。
【特許文献１】特開２００１−１０９４１６号公報
【特許文献２】登録実用新案第３０２５１０９号公報
【発明の開示】
【発明が解決しようとする課題】
【０００７】
前述のように、表示部を昇降可能とした表示装置にあっては、表示部を上昇させることにより良好な視認性を得ることができる一方、表示部を下降させることにより全高を低くでき、運搬性、収納性に優れたものとなる。
【０００８】
しかし、このように表示部を昇降可能に構成した前述の表示装置にあっては、表示部を上昇させた際には重心が高くなるために、例えば強風下で使用する場合や、傾斜地に設置する場合等、表示装置を転倒させる要因（転倒の蓋然性が高い状況・環境を含む。）が発生している状況下で表示部を上昇させて使用する場合には転倒の危険性があり、表示部の上昇位置が高い程この危険度は増す。
【０００９】
このように表示装置を転倒させる要因が発生している状況下では、例えば現場作業員が現場の状況に応じて表示装置を操作し、例えば風力が強まった場合には上昇している表示部を下降させることにより、また、設置時の状況に応じて表示部を上昇させることなく使用することにより表示装置が転倒することを回避することができる場合も多い。
【００１０】
しかし、このような転倒要因の発生の有無や、発生程度を人の感覚により判断する場合には、錯覚等によってこれを正確に把握することができない場合も多く、思いもよらずに表示装置が転倒する危険性がある。
【００１１】
例えば、表示装置の設置後に僅かずつ風力が強まる場合等にあってはこの風力の強まりを正確に把握し難く、気付いた時には予想外に風力が強まっており表示装置に転倒のおそれが生じている場合もある。
【００１２】
また、設置場所が傾斜している場合であっても、周囲の景色等、視覚を通じて得た情報との関係で設置場所が平坦であるとか、傾斜が緩やかであるといった錯覚を起こす場合もあり、このような錯覚の下に表示装置の表示部を上昇すると、表示装置が思いもよらずに転倒して、事故等の原因となることもあり得る。
【００１３】
なお、前述のように、風や傾斜等による転倒を防止するために、表示装置の架台部分にアウトリガーを設けることも考えられるが、強風時や傾斜地での設置に際し、誤ってアウトリガーを張り出さずに表示部を上昇させたり、または、前述のように例えば平坦地等であるとの錯覚の下にアウトリガーを張り出さずに表示装置を設置する場合には、未だ転倒の危険がある。
【００１４】
さらに、所定の区間にわたって道路の清掃や補修作業等を行う場合には、随時移動しながらこのような作業を行う場合があり、表示装置を例えば作業の進展と共に移動・走行するトラックの荷台等に載置して使用する場合もある。
【００１５】
このような使用状態において、作業区間に坂道があれば、トラックがこの坂道を走行するときには荷台に載置された表示装置も傾斜し、当初平坦な状態で設置されていた表示装置が事後的に傾斜する場合もある。この場合に、表示装置の表示部の下降を怠れば、表示装置が転倒するおそれがある。
【００１６】
このように、表示装置の昇降操作を人の判断や感覚に基づき行う場合には、操作忘れや操作遅れ等の人為的なミスや、錯覚等によって、転倒要因の発生下において表示部を上昇させてしまう場合があり、表示装置が転倒する危険性を完全に払拭することはできない。
【００１７】
そこで本発明は、上記従来技術における欠点を解消するためになされたもので、表示部を昇降可能とした表示装置において、人の判断や感覚によらず風力や傾斜等の表示装置を転倒させる要因の有無を電気的、機械的に検出し、この検出結果に基づいて表示部を下降させる等の転倒の防止に必要な操作を自動で行う機構を表示装置に設けることにより、転倒の発生を未然に、かつ確実に防止することのできる表示装置を提供することを目的とする。
【課題を解決するための手段】
【００１８】
上記目的を達成するために、本発明の表示装置１は、昇降可能に構成された表示部１０と、前記表示部１０を昇降させる昇降機構２０と、該昇降機構２０を駆動する駆動装置５０を備えた表示装置１において、
風力や傾斜等の前記表示装置１を転倒に至らしめる転倒要因の発生を検出して検出信号を出力する、風力検出手段４１や傾斜検出手段等の転倒要因検出手段４０と、
前記転倒要因検出手段４０からの検出信号を入力することにより、前記昇降機構２０の駆動装置５０を動作させて上昇した位置にある前記表示部１０を下降させる制御装置６０を備えたことを特徴とする（請求項１）。
【００１９】
前記構成の表示装置１において、前記転倒要因検出手段４０は、検出した前記転倒要因の発生程度に応じて出力する検出信号を変化させると共に、
予め求められた転倒要因の発生程度と該転倒原因の発生の程度に対して転倒を回避可能な表示部１０の高さとの対応関係に基づいて、前記制御装置６０が、受信した検出信号によって示された転倒要因の発生程度に対応した前記転倒を回避可能な表示部１０の高さ迄、前記表示部１０を下降させるように構成しても良い（請求項２）。
【００２０】
前記制御装置６０は、前記表示部１０が下降した位置にある時に前記転倒要因検出手段４０からの検出信号を入力すると、前記昇降機構の駆動装置を動作不能とするように構成しても良い（請求項３）。
【００２１】
また、前記転倒要因検出手段４０が、前記転倒要因の発生程度に応じて出力する検出信号を変化可能である場合には、
予め求められた転倒要因の発生程度と該転倒要因の発生の程度に対して転倒を回避可能な表示部の高さとの対応関係に基づいて、前記制御装置６０が、受信した検出信号によって示された転倒要因の発生程度に対応した前記転倒を回避可能な表示部１０の高さを前記表示部１０の昇降範囲の上限として設定するように構成することもできる（請求項４）。
【００２２】
さらに、前記転倒要因検出手段４０は、これを前記表示装置１の設置位置における風力を検出する風力検出手段４１とすることができ、又は、設置された前記表示装置１の傾きを検出する傾斜検出手段としても良く、さらにはこれらのいずれをも備えるものとして構成しても良い（請求項５）。
【００２３】
このように、転倒要因検出手段４０として風力検出手段４１を設ける場合には、これを、設定値以上の風力により揺動する受風板４２と、該受風板４２の揺動を検知するセンサ（実施形態において光センサ４４）を備える構成としても良く（請求項６）、また、前記表示部１０が、情報を表示する表示板１３と、該表示板１３を支持する支持脚１２を備える場合、前記支持脚１２のひずみを検出するひずみセンサ４１’を前記風力検出手段としても良い（請求項７）。
【発明の効果】
【００２４】
以上説明した本発明の構成により、本発明の表示装置１は、表示部１０が上昇した状態において所定の強さ乃至は傾きを越える風や傾斜等の転倒要因が発生すると、自動で表示部１０を下降させて重心を低くするので、転倒の発生を未然に防止することができると共に、表示部１０の下降が自動で行われることから、表示部１０を下降させることを忘れたり、または下降させるタイミングが遅れる等の人為的なミス等による転倒の発生をも確実に防止することができた。
【００２５】
特に、制御装置６０が、風の強さや傾きの大きさ等、転倒要因の発生の程度に応じて、転倒を回避するに必要な高さまで表示部１０を下降させるように駆動装置５０の制御を行う場合には、転倒を未然に防止しつつ、表示部１０を可及的に高い位置に掲げることが可能であり、表示部の視認性の確保と転倒防止による安全性の確保を両立させることができた。
【００２６】
また、表示部１０が下降している状態において、所定の強さ乃至は傾き以上の風や傾斜等、表示装置の転倒要因が発生している場合に、この転倒要因の発生の検出により制御装置６０が表示部１０の上昇を不能とする構成とした表示装置１にあっては、例えば図示せざる操作盤等に設けられたスイッチ等の操作により誤って表示部１０を上昇させる操作が行われた場合であっても表示部１０は上昇しないので、転倒を発生させるおそれのないものとなっている。
【００２７】
表示部１０の上昇を不能とする前述の構成に代え、制御装置６０が、風力や傾きの大きさ等、転倒要因の発生の程度に応じて転倒を回避し得る表示部１０高さを上限として表示部を昇降可能とする場合には、転倒の未然防止と表示部の視認性の確保を両立させた表示装置１を提供することができた。
【００２８】
さらに、転倒要因検出手段４０が、風力検出手段４１である場合には風による転倒を、傾斜検出手段である場合には傾斜による転倒を、両者共に備える場合には、風と傾斜双方による転倒をいずれも防止することができる表示装置１を提供することができた。
【００２９】
また、風力検出手段４１を、所定値以上の風力により揺動する受風板４２と、該受風板４２の揺動を検知するセンサ（実施形態においては光センサ４４）により構成することにより、又は、表示板１３を支持する支持脚１２のひずみを検出するひずみセンサ４１’とすることにより、比較的簡単に転倒要因である風力を検出可能な風力検出手段４１を構成することができた。
【発明を実施するための最良の形態】
【００３０】
次に、本発明の実施形態につき添付図面を参照しながら以下説明する。
【００３１】
本発明の表示装置１は、図１に示すように走行車両のドライバー等を誘導し、又はこれらの者に対して注意を喚起するための表示、その他の必要な情報の表示を行うための表示部１０と、この表示部１０の底部に取り付けられ、表示部１０を昇降させるための例えばシザースリンク機構等の昇降機構２０と、前記昇降機構２０を載置する架台３０を備え、この架台３０内に前述の昇降機構２０を駆動するための駆動装置５０が収容されている。
【００３２】
走行車両や歩行者等に対して必要な情報等を表示する前述の表示部１０は、図１に示す実施形態にあっては表示部１０の底面を成す支持台１１上に立設された支持脚１２に、道路標識、電光掲示板等の情報の表示が行われる表示板１３を載置すると共に、この表示板１３上に回転灯１４を装備しており、前記表示部１０の支持台１１と架台３０間に設けられた昇降機構２０により前述の表示部１０全体が昇降可能な構成となっている。
【００３３】
この昇降機構２０として、本実施形態にあっては一例としてシザースリンク機構を採用している。
【００３４】
このシザースリンク機構２０は、本実施形態にあっては、３つのシザースリンク２０ａ〜２０ｃの端部をそれぞれ揺動可能に軸支して構成しているが、このシザースリンク機構は、１又２段のシザースリンクによって構成しても良く、又は３段以上のシザースリンクにより構成したものであっても良い。
【００３５】
このシザースリンク機構２０の最下段に設けられているシザースリンク２０ａを構成するリンク杆２１，２２の一方２１は、その一端２１ａを架台３０上に設けられたブラケット３１に揺動可能に軸支されており、他方のリンク杆２２の一端２２ａが、架台３０に設けられた駆動装置５０に連結され、駆動装置５０によって、前記一方のリンク杆２１の一端２１ａに対して接近・離間するように架台３０上を水平方向に移動可能に構成されている。
【００３６】
また、シザースリンク機構２０の最上段に設けられているシザースリンク２０ｃを構成する一方のリンク杆２６の一端２６ｂが、表示部１０の支持台１１底面に設けられたブラケット１１１に揺動可能に軸支されていると共に、他方のリンク杆２５の一端２５ｂが、支持台１１の底面に設けられたガイドレール１１２に取り付けられ、このガイドレール１１２に案内されてリンク杆２６の一端２６ｂに対して近接・離間するようにスライド可能に取り付けられている。
【００３７】
なお、図１中には表れていないが、前記同様のシザースリンク機構が図１における紙面背面側にも設けられており、これにより表示部１０の安定した昇降が可能となっている。
【００３８】
以上のように構成されたシザースリンク機構２０にあっては、駆動装置５０によりシザースリンク２０ａを構成するリンク杆２２の一端２２ａを、一方のリンク杆２１の一端２１ａに近づく方向に移動させると、シザースリンク機構２０の全高が延び、その上端に連結された表示部１０を上昇させることができると共に、リンク杆２２の一端２２ａを他方のリンク杆２１の一端２１ａより離間する方向に移動すると、シザースリンク機構２０の全高が低下して、表示部１０を下降することができる。
【００３９】
なお、上記説明においては、昇降機構２０の一例としてシザースリンク機構を採用するものとして説明したが、この昇降機構２０の構成に代えて例えば、表示部１０と架台３０間を連結する支柱が垂直方向に伸縮するマスト式の昇降機構を採用しても良く、その他、既知の各種の昇降機構を使用することができる。
【００４０】
〔転倒防止機構〕
以上のように構成された表示装置１には、表示装置１を転倒に至らしめる要因の発生を検出する転倒要因検出手段４０（４１）と、この転倒要因検出手段４０（４１）が転倒要因の発生を検出した検出信号に基づいて、昇降機構２０を駆動する前述の駆動装置５０の動作を制御する制御装置６０が設けられており、これらにより転倒要因としての所定値以上の風力の発生や、表示装置１の傾きを検出して、転倒防止に必要な動作を表示装置１に自動で行わせる転倒防止機構が実現されている。
【００４１】
この転倒防止機構を構成する前述の転倒要因検出手段４０として、本実施形態にあっては、表示装置１の設置位置における風力を検出する風力検出手段４１と、表示装置１の傾きを検出する傾斜検出手段（図示せず）の双方を設け、表示装置１が風を受けて転倒することを防止すると共に、傾斜地等に傾斜した上位で設置されることによる転倒の発生のいずれをも防止することができるように構成している。
【００４２】
もっとも、使用する検出手段は、用途等に応じてこれらのうちのいずれか一方であっても良く、又は表示装置１の用途等に応じて他の転倒要因の発生を検出する検出手段を設けても良い。
【００４３】
（１）風力検出手段
風による表示装置１の転倒を防止するために設けられる風力検出手段４１は、表示装置１の設置位置における風力を検出し、該検出された風力が予め設定された風力以上であるときに検出信号を出力するもので、表示装置１を転倒させる方向に作用する風力を検出可能なものであれば如何なる構成であっても良い。本実施形態にあっては、一例として図２〜図５に示す風力検出手段４１を表示部１０に設けている。
【００４４】
この風力検出手段４１は、付勢手段４３によって原位置に付勢された受風板４２が、風を受けることによって揺動して原位置から移動すると、この揺動に伴う受風板４２の移動を検出部４４が検出して検出信号を出力するように構成したもので、本実施形態にあっては、図１及び２に示すように表示板１３の表示面に対して直交方向に開口した角筒状の通風路４５内に、この通風路４５を塞ぐようにその内壁４５ａに一端をヒンジ４６により止着された受風板４２を取り付けると共に、この受風板４２の自由端側に、該受風板４２の揺動を規制して原位置に付勢するコイルスプリング４３，４３を付勢手段として設け、さらに、風を受けた際の揺動により受風板４２の自由端側が原位置より移動したことを検出する光センサ４４を設けている。
【００４５】
本実施形態にあっては、図２において受風板４２の高さ方向を成す一辺４２ａにこのヒンジ４６を取り付け、受風板４２が図中水平方向に揺動するように構成しているが、このヒンジ４６は受風板４２の例えば上端側の一辺４２ｂに取り付けて、受風板４２の下端がヒンジを中心に揺動するように構成しても良く、その取り付け方向は図示の例に限定されない。
【００４６】
前述の受風板４２の揺動による移動を検出する光センサ４４は、発光ダイオード等の発光部４４ａと、該発光部４４ａより生じた光を受光するフォトセンサ等の受光部４４ｂから成り、この光センサ４４は、前記受風板４２が原位置にあるとき、発光部４４ａと受光部４４ｂ間に受風板４２が遮光物として配置されて発光部４４ａからの光が受光部４４ｂに入射しない位置で、かつ、前記受風板４２が風を受けて揺動すると、発光部４４ａと受光部４４ｂとの間（原位置）から受風板４２が移動して前記発光部４４ａからの光を前記受光部４４ｂが受光することができる位置に配置されている。
【００４７】
本実施形態にあっては前述の発光部４４ａと受光部とを通風路４５の上下に取り付け、原位置にある受風板４２の肉厚によって、発光部４４ａから受光部４４ｂに至る光の経路が遮蔽されるように構成しており、受風板４２の自由端側の一部を他の部分に比較して肉厚とした肉厚部４２ｃを設けることで、原位置にある受風板４２が発光部４４ａから受光部４４ｂに向かう光をこの肉厚部４２ｃで確実に遮ることができるように構成している。
【００４８】
前述の通風路４５の両端開口部には、これを一部塞ぐようにそれぞれ支持板４７，４７が設けられており、この支持板４７，４７に、前述の受風板４２に向かって突出するボルト４８，４８をそれぞれ設け、該ボルト４８，４８の先端間で受風板４２の揺動範囲を規制している。
【００４９】
そして、これらのボルト４８，４８には、所定の位置にナット４９，４９が螺合されており、このボルト４８，４８の先端部のそれぞれを、一端を前記ナット４９，４９に、他端を前記受風板４２に当接するコイルスプリング４３，４３内に挿入し、このコイルスプリング４３，４３を前述の付勢手段として、受風板４２を原位置に付勢している。
【００５０】
以上のように構成された風力検出手段４１において、図２中、紙面前面側からの風を受風板４２が受けると、受風板４２は、この風の例えば風圧により図２中の紙面背面側に揺動しようとする（図４参照）。
【００５１】
このとき、受風板４２が受けた風力が、スプリング４３の付勢力によって決定される所定の値未満である場合には、受風板４２は揺動せず、又は揺動しても受光部４４ｂが発光部４４ａより照射された光を受光可能と成る程には移動せず、風力検出手段４１は検出信号を出力しない。
【００５２】
一方、受風板４２が受けた風力が、スプリング４３の付勢力によって決定される設定値以上となると、受風板４２が原位置より移動して受光部４４ｂが発光部４４ａからの光の照射を受光して検出信号を出力し、この検出信号の出力により受風板４２が受風した風力が設定圧力以上であることが検出される。
【００５３】
また、受風板４２に対して逆方向の風が当たっている場合には、受風板４２は図４を参照した上記説明とは逆方向に揺動し（図５参照）、同様に受光部４４ｂが発光部４４ａからの光を受光して、検出信号を出力する。
【００５４】
なお、上記実施形態にあっては、受風板４２の揺動を検出する検出部４４として、前述の光センサを使用する例を説明したが、検出部４４は、受風板４２の揺動を検出可能であれば光センサに限定されない。
【００５５】
例えば、受風板の揺動に伴ってＯＮ，ＯＦＦするリミットスイッチ等を受風板４２に近接して設け、このリミットスイッチのＯＮ，ＯＦＦにより所定値以上の風力の発生を検出しても良く、また、受風板４２の揺動角をポテンショメータ等により検出して、受風板４２に作用する風力の変化に応じて出力する信号が変化するように構成しても良い。
【００５６】
また、図２〜図５を参照して説明した実施形態にあっては、風力検出手段４１が、受風板４２の揺動により風力を検出するものとして説明したが、例えば図６に示すように、表示部１０の支持脚１２に、この支持脚１２のひずみを測定するひずみセンサ４１’を設け、表示板１３が風を受けることにより生じた支持脚１２のひずみに基づいて、所定値以上の風力の発生、又は風力の変化を検出するようにしても良く、さらには、図示は省略するが、風車と発電機から成る風力検出手段を設け、受風により回転する風車により発電機による発電を行い、この発電機により発電された電力を検出信号として使用しても良く、風力を検出し、該検出された風力を電気信号として出力可能なものであれば各種の検出手段を使用することができる。
【００５７】
（２）傾斜検出手段
以上の説明にあっては、風による表示装置１の転倒を防止するために、転倒要因検出手段４０として風力検出手段４１を設ける例を説明したが、転倒要因検出手段４０としては、前述の風力検出手段４１に代え、又は風力検出手段と共に、図示せざる傾斜検出手段を設け、転倒要因として表示装置１の傾きの発生の有無、又は傾きの変化を検出するように構成しても良い。
【００５８】
この傾斜検出手段は、表示装置１の傾きを検出可能であれば既知の各種のセンサ類を使用することができ、また、その取り付け位置は表示装置１のいずれの位置であっても良い。本実施形態にあっては、この傾斜検出手段を架台３０内に配置している。
【００５９】
（３）制御装置
前述の風力検出手段４１が設定値以上の風力の発生を検出した検出信号、又は傾斜検出手段が設定値以上の表示装置１の傾きを検出した検出信号は、昇降機構２０の駆動装置５０の動作を制御する制御装置６０に入力される。
【００６０】
この制御装置６０は、例えば予め設定されている動作プログラムに従い、受信した検出信号に基づいて駆動装置５０の動作を制御する電子制御装置であり、前述の検出信号を入力した制御装置６０は、表示装置１の転倒を防止するために駆動装置５０の動作を下記の通り制御する。
【００６１】
（3-1）表示部の下降
前述の検出信号を入力した制御装置６０は、表示部１０が昇降機構２０によって上昇位置にある場合には、表示部１０を下降させるように前記駆動装置５０を動作させる制御を行う。このようにして表示部１０が下降することにより、表示装置１の重心が低くなり、風により、又は傾きにより表示装置１が転倒することを好適に防止することが可能となる。
【００６２】
前述の風力検出手段４１が、風力に応じて出力する検出信号を変化させるものであり、また、前述の傾斜検出手段が、表示装置１の傾きの変化に応じて出力する検出信号を変化させるものである場合には、風力や傾斜角度の変化に対する転倒を生じない安全な表示部１０の上昇高さとの対応関係を予め求め、この対応関係を例えば前記制御装置６０に予め記憶させておくことにより、制御装置６０がこの対応関係に従って受信した検出信号に対応する安全な上昇高さ迄、表示部を下降させるように前記駆動装置５０を制御するように前記制御装置６０を構成しても良い。
【００６３】
表示装置１を転倒させ得る風力や傾斜角と、表示装置１の表示部１０の上昇高さは相関関係にあることから、このように構成することにより、表示装置１が転倒する危険性を回避しつつ、表示装置１の表示部１０を可及的に高所に上昇させてその視認性を確保することが可能となる。
【００６４】
（3-2）表示部の上昇制御
以上説明した制御装置６０の動作説明にあっては、表示装置１の表示部１０が上昇した状態にあるときの動作について説明したが、表示装置１の表示部１０が、下降した位置にあるときは、風力検出手段４１や傾斜検出手段からの検出信号を入力した制御装置６０は、表示部１０を上昇させる方向への駆動装置５０の動作を不能とする制御を行うように構成しても良い。
【００６５】
風力検出手段４１が設定値以上の風力の発生を検出しており、又は傾斜検出手段が設定値以上の傾斜角を検出している状態において表示部１０を上昇させる場合には表示装置１が転倒する危険性が極めて高く、このような転倒の危険性の高い動作が例えば図示せざる操作盤等の操作によって指令されても、制御装置６０によってこれを無効とする制御を行うことにより、表示装置１の転倒が有効に防止される。
【００６６】
なお、風力検出手段４１や傾斜検出手段が、前述のように風力や傾きの変化に応じて出力する検出信号を変化させる構成を備える場合には、制御装置６０が、受信した検出信号に対応した表示部１０の安全な上昇高さを上限としてこの範囲内において表示部の昇降動作を行うように駆動装置５０を制御するように構成しても良い。
【００６７】
（3-3）その他の制御
なお、前述の制御装置６０は、誤作動等を防止する観点から、前述の風力検出手段４１や、傾斜検出手段からの検出信号を継続して５秒以上受信したとき、前述した駆動装置５０の制御を行うように構成しても良く、また、前記駆動装置５０の動作制御と共に、前述した検出信号の受信により警報発生手段（図示せず）を動作させて警告音を発生するように構成しても良い。
【図面の簡単な説明】
【００６８】
【図１】表示装置の正面図。
【図２】風力検出手段の正面図。
【図３】図２のIII−III線断面図。
【図４】受風時における図２のIII−III線断面図。
【図５】受風時における図２のIII−III線断面図。
【図６】支持脚に対するひずみセンサの取り付け状態を示す説明図。
【符号の説明】
【００６９】
１  表示装置
１０  表示部
１１  支持台
１１１  ブラケット
１１２  ガイドレール
１２  支持脚
１３  表示板
１４  回転灯
２０  昇降機構（シザースリンク機構）
２０ａ〜２０ｃ  シザースリンク
２１〜２６  リンク杆
３０  架台
３１  ブラケット
４０  転倒要因検出手段
４１  風力検出手段
４２  受風板
４３  付勢手段（コイルスプリング）
４４  検出部（光センサ）
４４ａ  発光部
４４ｂ  受光部
４５  通風路
４６  ヒンジ
４７  支持板
４８  ボルト
４９  ナット
５０  駆動装置
６０  制御装置
【図１】
2006023497.tif 000003
【図２】
2006023497.tif 000004
【図３】
2006023497.tif 000005
【図４】
2006023497.tif 000006
【図５】
2006023497.tif 000007
【図６】
2006023497.tif 000008